(57)【要約】【課題】毛髪化粧料組成物を容器に収容して振とうするタイプの毛髪化粧用品において、容器の外面に高品質の画像を表示するための技術を提供する。【解決手段】包装材１３は、毛髪化粧料組成物９を振とうするための有底筒状の容器本体１１に装着される紙製の包装材であって、容器本体１１の外周部を覆う筒状に形成され、毛髪化粧料組成物９に関する画像が外面に印刷されている。【選択図】図１
2014084131.tif 000002
【特許請求の範囲】
【請求項１】
毛髪化粧料組成物を振とうするための容器本体に装着される紙製の包装材であって、
前記容器本体の外周部を覆う筒状に形成され、
前記毛髪化粧料組成物に関する画像が外面に印刷されている
ことを特徴とする包装材。
【請求項２】
請求項１に記載の包装材であって、
当該包装材を展開可能に切り離すための切離部が設けられている
ことを特徴とする包装材。
【請求項３】
請求項２に記載の包装材であって、
当該包装材は、１枚のシート材の端部同士が重なり合った重複部が接着されて筒状に組み立てられ、
前記切離部は、前記重複部において外側に位置する端部の先端縁に隣接して設けられている
ことを特徴とする包装材。
【請求項４】
請求項３に記載の包装材であって、
当該包装材を平面状に折り畳むための２つの折曲線が設けられており、
前記重複部は、前記２つの折曲線に挟まれた中央部に設けられている
ことを特徴とする包装材。
【請求項５】
毛髪化粧料組成物を振とうするための容器であって、
前記毛髪化粧料組成物を収容可能な容器本体と、
前記容器本体の開口部を封止可能な蓋体と、
請求項１から請求項４までのいずれか１項に記載の包装材と、
を備えることを特徴とする容器。
【請求項６】
請求項５に記載の容器であって、
前記包装材は、前記容器本体に対して取り外し可能に装着されている
ことを特徴とする容器。
【請求項７】
請求項５又は請求項６に記載の容器であって、
前記包装材の少なくとも一部を覆うように装着されたフィルムを備え、
前記包装材は、前記フィルムが装着されている状態で前記フィルムにより押さえ込まれ、前記フィルムが取り外されることにより突出する突出部を備える
ことを特徴とする容器。
【請求項８】
請求項５又は請求項６に記載の容器であって、
前記包装材の少なくとも一部を覆うように装着され、前記包装材と部分的に接着されたフィルムを備え、
前記包装材は、前記フィルムが取り外されることで、前記容器本体から取り外される
ことを特徴とする容器。
【発明の詳細な説明】
【技術分野】
【０００１】
本発明は、毛髪化粧料組成物を振とうするための容器に関する。
【背景技術】
【０００２】
従来、毛髪化粧料組成物を容器に収容して振とうにより発泡させ、泡状にした上で毛髪に塗布するタイプの毛髪化粧用品が知られている（特許文献１参照）。一般に、この種の毛髪化粧用品は、毛髪化粧料組成物とその毛髪化粧料を発泡させるための容器とがセットで販売され、容器の外面には、商品名や、毛髪処理によって得られる毛髪色など、その毛髪化粧料組成物に関する情報が表示されている。具体的には、容器の外面には、シュリンクフィルム（熱収縮性フィルム）が巻かれ、このシュリンクフィルムに、各種情報を表す画像（文字やイラストなど）が印刷されている。
【先行技術文献】
【特許文献】
【０００３】
【特許文献１】特開２０１２−０３１１１４号公報
【発明の概要】
【発明が解決しようとする課題】
【０００４】
ところで、毛髪化粧用品を購入しようとする消費者にとっては、毛髪処理によって得られる毛髪色などの情報を事前に正確に把握できることが重要となる。しかしながら、シュリンクフィルムに印刷された画像の品質（例えば色の再現性）は、紙に印刷された画像の品質よりも劣ることから、毛髪色などを正確に再現することが困難であった。
【０００５】
本発明は、こうした問題にかんがみてなされたものであり、毛髪化粧料組成物を容器に収容して振とうするタイプの毛髪化粧用品において、容器の外面に高品質の画像を表示するための技術を提供することを目的としている。
【課題を解決するための手段】
【０００６】
本発明の包装材は、毛髪化粧料組成物を振とうするための容器本体に装着される紙製の包装材であって、容器本体の外周部を覆う筒状に形成され、毛髪化粧料組成物に関する画像が外面に印刷されている。このような構成によれば、シュリンクフィルムに画像を印刷する場合と比較して、高品質の画像を表示することができる。したがって、例えば毛髪処理によって得られる毛髪色などの情報を、より正確に再現することができる。
【０００７】
また、上記構成の包装材において、当該包装材を展開可能に切り離すための切離部が設けられていてもよい。このような構成によれば、包装材を切離部で切り離すことで、包装材を容器本体から取り外しやすくすることができる。
【０００８】
また、上記構成の包装材において、当該包装材は、１枚のシート材の端部同士が重なり合った重複部が接着されて筒状に組み立てられ、切離部は、重複部において外側に位置する端部の先端縁に隣接して設けられていてもよい。このような構成によれば、包装材の外面に印刷された画像の有効スペースを確保しやすくすることができる。すなわち、重複部において外側に位置する端部の先端縁付近は、シート材が外観上不連続となり、画像のずれなどが生じやすい。このため、高い品質で再現すべき画像は、その先端縁付近に位置させないことが好ましい。一方、切離部も、切り離しを容易にするための加工が施されることから、高い品質で再現すべき画像は、切離部付近に位置させないことが好ましい。この点、切離部が先端縁に隣接して設けられた構成によれば、高品質の画像の印刷に適さない部分が集められているため、高品質の画像を印刷するための有効スペースを確保しやすくすることができる。しかも、包装材を先端縁に沿って切り離すことができるため、包装材を切り離すための操作を行いやすくすることができる。
【０００９】
また、上記構成の包装材において、当該包装材を平面状に折り畳むための２つの折曲線が設けられており、重複部は、２つの折曲線に挟まれた中央部に設けられている。このような構成によれば、包装材を折曲線で平面状に折り畳むことで、包装材の保管や運搬等に要するスペースを低減することができる。しかも、重複部が２つの折曲線に挟まれた中央部に設けられているため、重複部が折曲線付近に設けられている構成と比較して、重複部に加わる負担を小さくすることができ、重複部の接着をはがれにくくすることができる。
【００１０】
一方、本発明の容器は、毛髪化粧料組成物を振とうするための容器であって、毛髪化粧料組成物を収容可能な容器本体と、容器本体の開口部を封止可能な蓋体と、上記構成の包装材と、を備える。このような構成によれば、シュリンクフィルムに画像を印刷する場合と比較して、高品質の画像を表示することができる。したがって、例えば毛髪処理によって得られる毛髪色などの情報を、より正確に再現することができる。
【００１１】
また、上記構成の容器において、包装材は、容器本体に対して取り外し可能に装着されていてもよい。このような構成によれば、包装材を取り外した状態で容器を使用することができる。例えば、容器本体を把持して振ることにより毛髪化粧料を振とうする場合、包装材を介して容器本体を把持した状態では、容器本体が包装材から抜けて飛んで行ってしまうことが考えられる。このような問題は、包装材が容器本体に接着された構成であっても、接着が十分でなければ生じ得る。この点、包装材を取り外した状態で容器を使用する構成によれば、このような問題を回避することができる。
【００１２】
また、上記構成の容器において、包装材の少なくとも一部を覆うように装着されたフィルムを備え、包装材は、フィルムが装着されている状態でフィルムにより押さえ込まれ、フィルムが取り外されることにより突出する突出部を備えていてもよい。このような構成によれば、ユーザがフィルムを取り外すことで、包装材に設けられた突出部が突出するため、包装材を容器本体から取り外すことをユーザに視覚的に伝えることができる。
【００１３】
また、上記構成の容器において、包装材の少なくとも一部を覆うように装着され、包装材と部分的に接着されたフィルムを備え、包装材は、フィルムが取り外されることで、容器本体から取り外されるようにしてもよい。このような構成によれば、フィルムを取り外すことで、包装材についても容器本体から取り外すことができる。
【図面の簡単な説明】
【００１４】
【図１】毛髪化粧料組成物が収容された状態での容器の正面図である。
【図２】容器の構成要素を示す分解図である。
【図３】容器の正面視の断面図である。
【図４】第１実施形態の包装材の展開図である。
【図５】第１実施形態の包装材を斜め上方から見た外観図である。
【図６】毛髪化粧用品の使用方法を示す図である。
【図７】第２実施形態の包装材が装着された容器の正面図である。
【図８】第２実施形態の包装材の展開図である。
【図９】第３実施形態の包装材が装着された容器の正面図である。
【図１０】第３実施形態の包装材の展開図である。
【図１１】第４実施形態の包装材が装着された容器の正面図である。
【図１２】第４実施形態の包装材の展開図である。
【図１３】第４実施形態の変形例の包装材の展開図である。
【図１４】第５実施形態の包装材が装着された容器の正面図である。
【図１５】第５実施形態の包装材の展開図である。
【図１６】変形例の包装材の部分拡大図である。
【発明を実施するための形態】
【００１５】
以下、本発明が適用された実施形態について、図面を用いて説明する。
［第１実施形態］
図１に示す毛髪化粧用品は、容器１と、容器１内に収容された毛髪化粧料組成物９と、を備える。本実施形態の毛髪化粧料組成物９は、２剤式の毛髪脱色・脱染剤であり、例えばアルカリ剤等を含有する固体状の第１剤９１と、例えば溶剤等を含有する液状の第２剤９２と、を備える。第１剤９１及び第２剤９２は、使用時まで個別に包装された状態で容器１内に収容して保管される。第１剤９１及び第２剤９２の包装形態は、特に限定されず、例えば、ボトル包装、ピロー包装、チューブ包装などとしてもよい。
【００１６】
図２及び図３にも示すように、容器１は、容器本体１１と、蓋体１２と、包装材１３と、シュリンクフィルム１４と、を備える。容器本体１１及び蓋体１２は、第１剤９１と第２剤９２とを混合して振とうにより発泡させる発泡操作によって、泡状の剤型を形成するための発泡用具として用いられるものであり、蓋体１２は、容器本体１１の開口部を液密に封止可能である。一方、包装材１３及びシュリンクフィルム１４は、本実施形態の毛髪化粧用品が商品として流通する際に装着されるものであり、使用時には取り外される。以下、容器１を構成する各構成要素について詳細に説明する。
【００１７】
容器本体１１は、透光性のある（透明又は半透明の）樹脂により形成された有底円筒状の容器であり、底部（下端部）よりも開口部（上端部）が拡径した形状（収容空間が上方へ徐々に広くなる形状）を有し、内面は曲面状をなしている。容器本体１１には、個別に包装された状態の第１剤９１及び第２剤９２を収容可能である。つまり、容器１（容器本体１１）は、毛髪化粧料組成物９の使用時まで第１剤９１及び第２剤９２をまとめて保管する外装容器として使用される。なお、容器１には、第１剤９１及び第２剤９２だけでなく、毛髪を脱色・脱染するときに使用する手袋や説明書等の付属品を収容してもよい。
【００１８】
蓋体１２は、容器本体１１の開口部を閉塞する概略半球状の容器であり、透光性のある樹脂により形成されている。蓋体１２の周縁にはフランジ状の嵌合部が形成されており、この嵌合部が容器本体１１の開口部に嵌合する。本実施形態では、蓋体１２の嵌合部を容器本体１１の開口部に嵌合させて蓋体１２を回転させることで容器本体１１に対して蓋体１２が液密に装着される。ただし、容器１を液密に閉塞させる構造は特に限定されるものではなく、例えば、蓋体１２に凹条を形成するとともにその凹条を容器本体１１の開口部周縁に形成した凸条に圧入させる構造としてもよい。
【００１９】
包装材１３は、毛髪化粧料組成物９に関する画像（商品名、使用方法、毛髪処理によって得られる毛髪色等を示す画像であり、図示は省略する。）が印刷された紙製の筒体（スリーブ）であり、容器本体１１の外周を覆うように装着されている。包装材１３は、容器本体１１に対して接着されておらず、単に外側に被せられているだけであり、下方へ引っ張って取り外すことも可能である。ただし、包装材１３は、容器本体１１の形状に合わせて、下部よりも上部が拡径した形状を有しており、シュリンクフィルム１４が装着されていない状態においても、自然には外れない程度の密着度で装着される。具体的には、包装材１３下端の内径は、容器本体１１下端の外径に対応する長さ（同一又は略同一の寸法）に設計されており、包装材１３上端の内径は、容器本体１１上端の外径に対応する長さ（同一又は略同一の寸法）に設計されている。
【００２０】
また、図４に示すように、包装材１３は、１枚の紙製のシート材（本実施形態では板紙）から形成されており、シート材の長手方向一方（図４でいう左側）の端部に、接着剤が塗られる接着部１３１が設けられており、この接着部１３１を、長手方向他方（図４でいう右側）の端部である接着対象部１３２に重ね合わせ、接着剤により貼り付けることで、筒状（図２に示す状態）に組み立てられる。包装材１３が組み立てられた状態において、接着部１３１は、接着対象部１３２の内側に位置し、接着対象部１３２に外側から覆われた状態となる。また、展開状態（図４に示す状態）において接着部１３１と隣接する部分（組み立てられた状態において接着対象部１３２の先端縁と隣接する部分）には、包装材１３を展開可能に切り離すための切離部（ジッパー）１３３が設けられている。切離部１３３は、包装材１３の上端縁から下端縁に至る２本の平行線に沿った切り込みにより形成されている。切離部１３３の下端は、接着部１３１とは反対側の部分がえぐれて（凹んで）おり、このえぐれに対して相対的に突出したつまみ（突出部）１３４が形成されている。このつまみ１３４を指でつまんで上方へ引っ張ることにより、前述した２本の平行線の間の帯状部分が除去されて切り離される。
【００２１】
また、包装材１３には、筒状に組み立てられた状態から、図５に示すように平面状につぶして折り畳みやすくするための折曲線（本実施形態ではミシン目）１３５が２箇所に設けられている。ここで、包装材１３が折り畳まれるのは、毛髪化粧用品の出荷前である。すなわち、包装材１３が筒状に組み立てられた後、容器本体１１に装着されるまでの間に、包装材１３を平面状に折り畳んでおくことで、運搬や保管などに要するスペースを小さくできるメリットがあるからである。折曲線１３５は、シート材の長手方向両端部（接着部１３１及び接着対象部１３２）が重なり合った部分である重複部１３６が、２つの折曲線１３５に挟まれた中央部となる位置に設けられている。つまり、包装材１３を２つの折曲線１３５で平面状に折り畳んだ状態で、重複部１３６が端部（いずれか一方の折曲線１３５寄り）ではなく中央部に位置する。
【００２２】
シュリンクフィルム１４は、透明な樹脂（例えばＰＥ、ＰＰ、ＰＶＣ、ＰＳ、ＰＥＴ）により形成された筒状のシートであり、包装材１３の全面を含む容器本体１１の外周面全域を覆うように、密着した状態で装着されている。具体的には、蓋体１２の下端部（嵌合部）から容器本体１１の下面外周部までを覆う長さに設計されている。このため、シュリンクフィルム１４が装着されている状態では、容器本体１１に対する蓋体１２の動きが制限され、容器本体１１から蓋体１２が取り外されてしまうことが防止される。
【００２３】
次に、本実施形態の毛髪化粧用品の使用方法について説明する。
毛髪化粧用品の使用時には、まず、図１に示す状態の容器１から、シュリンクフィルム１４を取り外し、包装材１３を露出させる。なお、シュリンクフィルム１４を取り外しやすくするために、シュリンクフィルム１４にあらかじめ切取線（例えばミシン目）などを入れておき、破れやすくしてもよい。
【００２４】
続いて、包装材１３のつまみ１３４を指でつまんで上方へ引っ張ることにより、切離部１３３で当該包装材１３を切り離し、容器本体１１から取り外す。なお、包装材１３は、容器本体１１と接着されていないため、切離部１３３で当該包装材１３を切り離すことなく、下方へ抜き取ることも可能であるが、切離部１３３で切り離すことで、容易に（比較的弱い力で）容器本体１１から取り外すことができる。これにより、図６（Ａ）に示す状態となる。
【００２５】
続いて、容器本体１１から蓋体１２を取り外し、個別包装された第１剤９１及び第２剤９２を容器本体１１内から取り出す。そして、第１剤９１及び第２剤９２の包装を開封し、図６（Ｂ）に示すように第１剤９１及び第２剤９２を容器本体１１に投入する。これにより、容器本体１１内で第１剤９１と第２剤９２が接触し、混合物９３が得られる。
【００２６】
続いて、図６（Ｃ）に示すように容器本体１１に蓋体１２を装着し、容器１を上下に振る。このとき、容器１内では、第１剤９１と第２剤９２との混合が進むとともに、振とうにより混合物９３に空気が混入される。こうして混合物９３に空気を振り混ぜることにより、混合物９３が発泡する。そして、容器１を所定の回数振った後、振るのを止めることで、発泡は完了する。
【００２７】
こうして得られた泡状の毛髪脱色・脱染剤９４は、図６（Ｄ）に示すように容器本体１１から蓋体１２を取り外した後、容器本体１１内から例えば薄手の手袋をした手で直接取り出して毛髪に塗布される。毛髪脱色・脱染剤９４は泡状であるため、液だれを起こしにくく、毛髪に馴染みやすい。毛髪に毛髪脱色・脱染剤９４を塗布した後、放置している間に毛髪の脱色又は脱染は進行する。所定時間の経過後、水又は温水で毛髪を洗って毛髪上の毛髪脱色・脱染剤９４を落とし、毛髪の脱色又は脱染処理は完了する。
【００２８】
以上説明したように、第１実施形態によれば、次の効果が得られる。
（１）毛髪化粧料組成物９に関する画像が紙製の包装材１３の外面に印刷されているため、シュリンクフィルム１４に画像を印刷する場合と比較して、高品質の（色の再現性や安定性などの高い）画像を表示することができる。したがって、毛髪処理によって得られる毛髪色などの情報を、より正確に再現することができる。なお、容器本体を紙製にすることも考えられるが、紙容器ではつなぎ目から内容物が漏れやすくなり、また、容器を振る際に握りつぶされやすくなるなど、発泡用具としての性能が不十分となり得る。これに対し、本実施形態によれば、容器本体１１が樹脂（例えばプラスチック）製であるため、発泡用具としての性能を十分に確保することができる。一方、容器自体を一般的な直方体状の紙製の箱に収容し、その箱の外面に画像を印刷することも考えられるが、この種の容器自体が、通常の毛髪化粧用品と比較してサイズが大きいため、紙箱のサイズ（商品のサイズ）が大きくなりすぎるという問題がある。この点、本実施形態によれば、商品のサイズの増大を抑制しつつ、高品質の画像を表示することができる。
【００２９】
（２）包装材１３には、当該包装材１３を展開可能に切り離すための切離部１３３が設けられているため、包装材１３を切離部１３３で切り離すことで、包装材１３を容器本体１１から取り外しやすくすることができる。
【００３０】
（３）包装材１３は、１枚の平面状のシート材の端部同士が重なり合った重複部１３６が接着されて筒状に組み立てられており、切離部１３３は、重複部１３６において外側に位置する端部である接着対象部１３２の先端縁に隣接して設けられている。このため、包装材１３の外面に印刷された画像の有効スペースを確保しやすくすることができる。すなわち、重複部１３６において外側に位置する接着対象部１３２の先端縁付近は、シート材が外観上不連続となり、画像のずれなどが生じやすい。このため、高い品質で再現すべき画像は、その先端縁付近に位置させないことが好ましい。一方、切離部１３３も、切り離しを容易にするための切り込み加工が施されることから、高い品質で再現すべき画像は、切離部１３３付近に位置させないことが好ましい。この点、本実施形態の包装材１３は、切離部１３３が接着対象部１３２の先端縁に隣接して設けられており、高品質の画像の印刷に適さない部分が集められているため、高品質の画像を印刷するための有効スペースを確保しやすくすることができる。しかも、包装材１３を接着対象部１３２の先端縁に沿って切り離すことができるため、包装材１３を切り離すための操作を安定して行いやすくすることができる。
【００３１】
（４）包装材１３には、当該包装材１３を平面状に折り畳むための折曲線１３５が２箇所に設けられているため、包装材１３を折曲線１３５で平面状に折り畳むことで、包装材１３の保管や運搬等に要するスペースを低減することができる。また、折曲線１３５を有しない構成と比較して、重複部１３６においてシート材の端部同士を引き離す方向に加わる力を抑制することができるため、重複部１３６における接着のはがれを抑制することができる。また、重複部１３６が、２つの折曲線１３５に挟まれた中央部に設けられているため、重複部１３６が折曲線１３５付近に設けられている構成と比較して、重複部１３６に加わる負担を小さくすることができ、重複部１３６の接着をはがれにくくすることができる。同様に、切離部１３３も、２つの折曲線１３５に挟まれた中央部に設けられているため、製造時や運搬時などにおける切離部１３３の破れなどを抑制することができる。
【００３２】
（５）包装材１３は、容器本体１１に対して接着されておらず、取り外し可能に装着されているため、包装材１３を取り外した状態で容器１を使用することができる。包装材１３を介して容器本体１１を把持すると、容器１を振っている状態において容器本体１１が包装材１３から抜けて飛んで行ってしまうことが考えられる。この点、本実施形態によれば、包装材１３を取り外した状態で容器１を使用することができるため、このような問題を回避することができる。特に、容器本体１１が透光性を有しているため、包装材１３を取り外すことで、容器本体１１に収容された毛髪化粧料組成物９の状態を容器１の外側から視認しやすくすることができる。また、容器本体１１の外面に使用方法などの情報を表示する（例えばラベルを貼り付ける）ことにより、包装材１３の外面には表示しきれない情報を表示することも可能である。また、包装材１３の内面にも画像を印刷しておけば、包装材１３を取り外すことで、内面に印刷された画像をユーザに視認させることができる。また、包装材１３を取り外すことで、包装材１３による断熱効果を取り除くことができるため、毛髪化粧料組成物の温度を調整しやすくすることができる。また、毛髪化粧用品を廃棄する際に分別しやすくすることができる。
【００３３】
［第２実施形態］
図７に示す第２実施形態の毛髪化粧用品は、基本的な構成は第１実施形態と同様であり、包装材の構成が異なる。このため、共通する構成については説明を省略し、相違点を中心に説明する。
【００３４】
第２実施形態の包装材２３は、第１実施形態の包装材１３と同様、毛髪化粧料組成物９に関する画像が印刷された紙製の筒体であり、１枚の紙製のシート材を筒状に組み立てたものである。ただし、第２実施形態の包装材２３は、シート材の長手方向両端部が、一部分（本実施形態では下端の概略正方形状の重複部２３１）で連結され、その重複部２３１が容易に分離できるように構成されている点で、第１実施形態の包装材１３と相違する。
【００３５】
具体的には、図８に示すように、第２実施形態の包装材２３は、シート材の長手方向一方（図８でいう左側）の端縁における下端部に矩形状の突出部２３２が形成されている。そして、包装材２３は、突出部２３２を長手方向他方（図８でいう右側）の端部に重ね合わせ、接着剤により貼り付けることで、筒状に組み立てられる。突出部２３２の基端部には、突出部２３２を内側へ延長するように切り込み２３３が入れられており、さらに、切り込み２３３の先端から包装材２３の下端へ切取線（例えばミシン目）２３４が設けられている。また、突出部２３２の貼り付け対象となる他端部にも同様の切り込み２３５が入れられており、さらに、切り込み２３５の先端から包装材２３の下端へ切取線（例えばミシン目）２３６が設けられている。つまり、図７に示すように包装材２３が筒状に組み立てられた状態で、シート材の長手方向両端部が下端の重複部２３１で連結される。そして、この重複部２３１は、２本の切取線２３４，２３６を切り取ることで分離され、重複部２３１が分離されると矢印の方向に包装材２３が展開される。なお、２本の切取線２３４，２３６のいずれか一方が切り取られれば、包装材２３は展開される。
【００３６】
そして、第２実施形態では、重複部２３１の外面が、シュリンクフィルム１４の内面に接着されている。このため、シュリンクフィルム１４を容器本体１１から取り外す操作に伴い、包装材２３の重複部２３１が切取線２３４，２３６で切り取られて分離し、包装材２３が展開されて容器本体１１から取り外される。
【００３７】
以上説明したように、第２実施形態の包装材２３によれば、第１実施形態と同様の効果が得られる。加えて、第２実施形態では、シュリンクフィルム１４が、包装材２３と部分的に（包装材２３における切離部としての重複部２３１に）接着され、シュリンクフィルム１４が取り外されることで、包装材２３が容器本体１１から取り外される。このため、シュリンクフィルム１４を取り外す操作を行うことで、包装材２３についても容器本体１１から取り外すことができる。
【００３８】
［第３実施形態］
図９に示す第３実施形態の毛髪化粧用品は、基本的な構成は第１実施形態と同様であり、包装材の構成が異なる。このため、共通する構成については説明を省略し、相違点を中心に説明する。
【００３９】
第３実施形態の包装材３３は、第１実施形態の包装材１３と同様、毛髪化粧料組成物９に関する画像が印刷された紙製の筒体であり、１枚の紙製のシート材を筒状に組み立てたものである。ただし、第３実施形態の包装材３３は、包装材３３を展開可能に切り離すための構成（切離部）を備えておらず、接着部を矢印の方向へはがすことで包装材３３を展開可能に切り離す点で、第１実施形態の包装材１３と相違する。
【００４０】
具体的には、図１０に示すように、第３実施形態の包装材３３は、シート材の長手方向一方（図１０でいう左側）の端部に、接着剤が塗られる接着部３３１が設けられており、この接着部３３１を、長手方向他方（図１０でいう右側）の端部である接着対象部３３２に重ね合わせ、接着剤により貼り付けることで、筒状に組み立てられる。ただし、接着部３３１の上端部には、接着剤が塗られておらず、接着対象部３３２の上端（図９においてハッチングで示した三角形の部分）が浮いた状態となる。この上端部を指でつまんで斜め下方（図９において矢印で示す方向）へ引っ張ることにより、接着対象部３３２が接着部３３１からはがれ、包装材３３が展開されて容器本体１１から取り外される。なお、つまみを引っ張る方向と接着剤を塗布する方向とを対応させることで、はがしやすく、かつ、途中で破れにくくすることができる。
【００４１】
以上説明したように、第３実施形態の包装材３３によれば、第１実施形態と同様の効果が得られる。加えて、第３実施形態の包装材３３によれば、包装材３３を展開可能に切り離すための構成（切離部）を設ける必要がないため、簡素な構成で実現することができる。
【００４２】
［第４実施形態］
図１１に示す第４実施形態の毛髪化粧用品は、基本的な構成は第１実施形態と同様であり、包装材の構成が異なる。このため、共通する構成については説明を省略し、相違点を中心に説明する。
【００４３】
第４実施形態の包装材４３は、第１実施形態の包装材１３と同様、毛髪化粧料組成物９に関する画像が印刷された紙製の筒体であり、１枚の紙製のシート材を筒状に組み立てたものである。ただし、第４実施形態の包装材４３は、包装材４３を展開可能に切り離すための構成（切離部）を備えておらず、包装材４３をそのまま下方へ抜き取るためのつまみ４３１が設けられている点で、第１実施形態の包装材１３と相違する。
【００４４】
具体的には、図１２に示すように、第４実施形態の包装材４３は、シート材の長手方向一方（図１２でいう左側）の端部に、接着剤が塗られる接着部４３２が設けられており、この接着部４３２を、長手方向他方（図１２でいう右側）の端部である接着対象部４３３に重ね合わせ、接着剤により貼り付けることで、筒状に組み立てられる。また、筒状に組み立てられた状態において接着部４３２と接着対象部４３３との重なり部分における下端部を両側から挟む位置には、２本の切り込み４３４，４３５が入れられており、これらの間につまみ４３１が形成される。つまみ４３１は、一点鎖線で示す折曲線で外側に折り曲げられており、シュリンクフィルム１４が装着されている状態では容器本体１１側に押さえ込まれているが、シュリンクフィルム１４が取り外されると、弾性力により外側へ突出し、容器本体１１から浮き上がった状態となる。このため、このつまみ４３１を指でつまんで下方へ引っ張ることにより、包装材４３が容器本体１１から抜き取られて取り外される。
【００４５】
以上説明したように、第４実施形態の包装材４３によれば、第１実施形態と同様の効果が得られる。加えて、第４実施形態の包装材４３には、シュリンクフィルム１４が装着されている状態でシュリンクフィルム１４により押さえ込まれ、シュリンクフィルム１４が取り外されることにより突出する突出部としてのつまみ４３１が設けられている。このため、ユーザがシュリンクフィルム１４を取り外すことで、包装材１３に設けられたつまみ４３１が突出し、包装材１３を容器本体１１から取り外すことをユーザに視覚的に伝えることができる。
【００４６】
なお、第４実施形態では、包装材４３の下端部に２本の切り込み４３４，４３５が入れられた構成を例示したが、これに限定されるものではない。例えば、接着部４３２における下端部（切り込み４３５が入れられた部分）に接着剤を塗らなければ、他方の切り込み４３４を不要とすることができる。また、第４実施形態では、筒部（容器本体１１の１１の外周を覆う部分）の一部を切り起こしてつまみ４３１を形成しているが、これに限定されるものではない。例えば、筒部の下端から下方へ突出する突出部を形成し、この突出部をつまみとしてもよい。また、例えば図１３に示すように、シート材の長手方向一方（図１３でいう右側）の端部に、横方向（長手方向に沿った方向）へ突出する突出部４３６を形成し、この突出部４３６を筒部の外側に位置させてつまみとしてもよい。このような構成によれば、シュリンクフィルム１４が取り外されることにより一層突出しやすくすることができる。
【００４７】
［第５実施形態］
図１４に示す第５実施形態の毛髪化粧用品は、基本的な構成は第１実施形態と同様であり、包装材の構成が異なる。このため、共通する構成については説明を省略し、相違点を中心に説明する。
【００４８】
第５実施形態の包装材５３は、第１実施形態の包装材１３と同様、毛髪化粧料組成物９に関する画像が印刷された紙製の筒体であり、１枚の紙製のシート材を筒状に組み立てたものである。ただし、第５実施形態の包装材５３は、シート材の長手方向両端部の重ね合わされた部分を切り離して包装材５３を展開するように構成されている点で、第１実施形態の包装材１３と相違する。
【００４９】
具体的には、図１５に示すように、第５実施形態の包装材５３は、シート材の長手方向一方（図１５でいう右側）の端部に、接着剤が塗られる接着部５３１が設けられており、この接着部５３１を、長手方向他方（図１５でいう左側）の端部である接着対象部５３２に重ね合わせ、接着剤により貼り付けることで、筒状に組み立てられる。また、接着対象部５３２には、上方へ矩形状に突出したつまみ５３３が形成されている。つまみ５３３は、一点鎖線で示す折曲線で外側に折り曲げられており、シュリンクフィルム１４が装着されている状態では容器本体１１側に押さえ込まれているが、シュリンクフィルム１４が取り外されると、弾性力により外側へ突出し、容器本体１１から浮き上がった状態となる。また、シート材の長手方向両端部が重なる部分である重複部５３４を両側から挟む位置には、上端縁から下端縁へ縦方向に延びる２本の切取線（例えばミシン目）５３５，５３６が設けられている。このため、つまみ５３３を指でつまんで下方へ引っ張ることにより、切離部としての重複部５３４が切取線５３５，５３６で切り取られて分離し、包装材５３が展開されて容器本体１１から取り外される。
【００５０】
以上説明したように、第５実施形態の包装材５３によれば、第１実施形態と同様の効果が得られる。加えて、第５実施形態の包装材５３には、シュリンクフィルム１４が装着されている状態でシュリンクフィルム１４により押さえ込まれ、シュリンクフィルム１４が取り外されることにより突出する突出部としてのつまみ５３３が設けられている。このため、ユーザがシュリンクフィルム１４を取り外すことで、包装材１３に設けられたつまみ５３３が突出し、包装材１３を容器本体１１から取り外すことをユーザに視覚的に伝えることができる。
【００５１】
［他の実施形態］
以上、本発明の実施形態について説明したが、本発明は、上記実施形態に限定されることなく、種々の形態を採り得ることは言うまでもない。
【００５２】
（１）上記実施形態では、シュリンクフィルム１４が装着されていない状態においても、包装材が容器本体１１から自然には外れない程度の密着度で装着される構成を例示したが、これに限定されるものではない。例えば、包装材を容器本体１１よりも少し大きめに設計するなどして、包装材が容器本体１１から自然に外れるような状態で装着された構成としてもよい。このようにすれば、例えばシュリンクフィルム１４を容器本体１１から取り外すことで、包装材についても自然に取り外すことができる。
【００５３】
（２）上記実施形態では、包装材全体を覆うシュリンクフィルム１４を例示したが、これに限定されるものではない。例えば、包装材の少なくとも一部を覆うようにしてもよい。また、容器本体１１と蓋体１２とを連結するための部分（容器本体１１の上端部及び蓋体１２の下端部）を覆い、他の部分は覆わないようにしてもよい。このようにすれば、シュリンクフィルム１４の量を少なくすることができるため、コストを低減することができるとともに、シュリンクフィルム１４による光の反射を防ぐことで、包装材外面の画像を見やすくすることができる。
【００５４】
（３）上記第１実施形態では、２本の平行線に沿った切り込みにより形成された切離部（ジッパー）１３３を例示したが、例えば、１本の線に沿った切り込みにより形成された１ラインジッパーとしてもよい。この場合にも、例えば図１６に示すように、１ラインジッパー６３３のつまみ（突出部）６３４は、包装材（筒部）の端部（例えば下端）にえぐれ（凹部）６３７を形成し、そのえぐれ６３７に対して相対的に突出させることにより形成することができる。この場合、えぐれ６３７を曲線状に形成することで、包装材の破れを抑制することができる。
【００５５】
（４）上記実施形態では、全面が透光性を有する（透明又は半透明の）容器本体１１及び蓋体１２を例示したが、これに限定されるものではなく、例えば、少なくとも一部が透光性を有した構成としてもよい。このような構成であっても、容器１内部の状態を外側から視認することは可能である。また、透光性を有しない構成としてもよく、樹脂以外の材料を用いて構成してもよい。
【００５６】
（５）発泡操作は、毛髪化粧料組成物９に振動を加えることで、毛髪化粧料組成物９に空気を混入させる操作としてもよく、また、毛髪化粧料組成物９に回転を加えることで、毛髪化粧料組成物９に空気を混入させる操作としてもよい。つまり、毛髪化粧料組成物９の振とうにより発泡させる発泡操作とは、毛髪化粧料組成物９を振り混ぜる操作、毛髪化粧料組成物９に振動を加える操作、及び、毛髪化粧料組成物９に回転を加える操作、の少なくとも一種の操作により発泡させることを意味する。なお、毛髪化粧料組成物９に回転を加えるために、例えばヘラやスプーン等のかき混ぜ具を使用してもよい。
【００５７】
（６）また、こうした発泡操作の種類に応じて、容器本体１１に収容された毛髪化粧料組成物９を発泡させるための発泡用具を変更してもよい。例えば、主として振動を加える発泡操作の場合、発泡用具として、例えば加振機などを用いてもよい。また例えば、主として回転を加える発泡操作の場合、発泡用具として、例えば撹拌棒、撹拌子などを用いてもよい。また、発泡用具は、手動式としてもよく、電動式としてもよい。
【００５８】
（７）上記実施形態の容器１は、毛髪化粧料組成物９を振とうにより発泡させるための発泡用具として用いられるものであるが、これに限定されるものではなく、例えば、泡立たない毛髪化粧料組成物を振とうにより混合するための混合用具として用いられるものであってもよい。具体的には、例えばクリーム状の第１剤と液状の第２剤とを混合して使用するヘアカラー剤にも利用することができる。
【００５９】
（８）毛髪化粧料組成物９は、２剤式の毛髪脱色・脱染剤の第１剤９１及び第２剤９２に限定されるものではなく、例えば、２剤式の染毛剤の第１剤及び第２剤であってもよく、また例えば、１剤式の酸性染毛料とトリートメント剤であってもよい。なお、染毛剤には、酸性染毛料、直接染毛料、一時着色料などが含まれる。また、混合する薬剤は、２種類に限定されるものではなく、３種類以上としてもよい。
【符号の説明】
【００６０】
１…容器、９…毛髪化粧料組成物、１１…容器本体、１２…蓋体、１３，２３，３３，４３，５３…包装材、１４…シュリンクフィルム、９１…第１剤、９２…第２剤
【図１】
2014084131.tif 000003
【図２】
2014084131.tif 000004
【図３】
2014084131.tif 000005
【図４】
2014084131.tif 000006
【図５】
2014084131.tif 000007
【図６】
2014084131.tif 000008
【図７】
2014084131.tif 000009
【図８】
2014084131.tif 000010
【図９】
2014084131.tif 000011
【図１０】
2014084131.tif 000012
【図１１】
2014084131.tif 000013
【図１２】
2014084131.tif 000014
【図１３】
2014084131.tif 000015
【図１４】
2014084131.tif 000016
【図１５】
2014084131.tif 000017
【図１６】
2014084131.tif 000018